(57)【要約】【課題】加工が容易な通線器およびワイヤ部材の提供。【解決手段】本発明は、建築物の配管またはその他狭窄通路において用いられる通線器およびワイヤ部材を開示する。当該ワイヤ部材は、第一通線セグメントと、第二通線セグメントと、を有する；第一通線セグメントは、複数の第一通線ワイヤを有し、第一通線セグメントは第一セグメントを具備し、当該複数の第一通線ワイヤは第一セグメントで互いに螺旋状に撚り合わさり、少なくとも一部の前記第一通線ワイヤは第一セグメントから過渡セグメントに延伸する；第二通線セグメントは、複数の第二通線ワイヤを有し、第二通線セグメントは第二セグメントを具備し、当該複数の第二通線ワイヤは第二セグメントで互いに螺旋状に撚り合わさり、少なくとも一部の前記第二通線ワイヤは第二セグメントから過渡セグメントに延伸し、かつ過渡セグメントに延伸した第一、第二通線ワイヤは互いに螺旋状に撚り合わさる。【選択図】図２
2017118804.tif 000002
【特許請求の範囲】
【請求項１】
複数の第一通線ワイヤを有するとともに、第一セグメントを具備し、前記複数の第一通線ワイヤは前記第一セグメントにおいて互いに螺旋状に撚り合わさり、少なくとも一部の前記第一通線ワイヤが前記第一セグメントから過渡セグメントに延伸する第一通線セグメントと、
前記第一セグメントの前記過渡セグメントと反対の一端に設けられる第一ケーブル固定器と、
複数の第二通線ワイヤを有するとともに、第二セグメントを具備し、前記複数の第二通線ワイヤは前記第二セグメントにおいて互いに螺旋状に撚り合わさり、少なくとも一部の前記第二通線ワイヤが前記第二セグメントから前記過渡セグメントに延伸し、かつ、前記過渡セグメントに延伸した前記第一、第二通線ワイヤは互いに螺旋状に撚り合わさる第二通線セグメントと、を有することを特徴とする通線器。
【請求項２】
前記第一通線ワイヤの本数と前記第二通線ワイヤの本数がともにnであって、前記第一通線セグメントのうちa本の前記第一通線ワイヤが前記第一セグメントから前記過渡セグメントに延伸し、前記第二通線セグメントのうちb本の前記第二通線ワイヤが前記第二セグメントから前記過渡セグメントに延伸し、a、b、nはすべて正整数であり、かつnはaとbの和であること、特徴とする請求項１に記載の通線器。
【請求項３】
前記過渡セグメントの前記第一、第二通線ワイヤを固定することによって、前記過渡セグメントの前記第一、第二通線ワイヤが相対的に螺旋転動させない固定手段と、をさらに有することを特徴とする請求項１または請求項２に記載の通線器。
【請求項４】
前記固定手段は、第一固定リングおよび第二固定リングを有し、前記第一固定リングは前記第一セグメントと前記過渡セグメントの連結箇所に嵌合され、前記第二固定リングは前記第二セグメントと前記過渡セグメントの連結箇所に嵌合される、ことを特徴とする請求項３に記載の通線器。
【請求項５】
複数の第一通線ワイヤを有するとともに、第一セグメントを具備し、前記複数の第一通線ワイヤは前記第一セグメントにおいて互いに螺旋状に撚り合わさり、少なくとも一部の前記第一通線ワイヤが前記第一セグメントから過渡セグメントに延伸する第一通線セグメントと、
複数の第二通線ワイヤを有するとともに、第二セグメントを具備し、前記複数の第二通線ワイヤは前記第二セグメントにおいて互いに螺旋状に撚り合わさり、少なくとも一部の前記第二通線ワイヤが前記第二セグメントから前記過渡セグメントに延伸し、かつ、前記過渡セグメントに延伸した前記第一、第二通線ワイヤは互いに螺旋状に撚り合わさる第二通線セグメントと、を有することを特徴とするワイヤ部材。
【請求項６】
前記第一通線ワイヤの本数と前記第二通線ワイヤの本数がともにnであって、第一通線セグメントのうちa本の前記第一通線ワイヤが前記第一セグメントから前記過渡セグメントに延伸し、前記第二通線セグメントのうちb本の前記第二通線ワイヤが前記第二セグメントから前記過渡セグメントに延伸し、a、b、nはすべて正整数であり、かつnはaとbの和であること、を特徴とする請求項5に記載のワイヤ部材。
【請求項７】
前記過渡セグメントの前記第一、第二通線ワイヤを固定することによって、前記過渡セグメントの前記第一、第二通線ワイヤが相対的に螺旋転動させない固定手段と、をさらに有することを特徴とする請求項５または請求項６のいずれか一に記載のワイヤ部材。
【請求項８】
前記固定手段は、第一固定リングおよび第二固定リングを有し、前記第一固定リングは前記第一セグメントと前記過渡セグメントの連結箇所に嵌合され、前記第二固定リングは前記第二セグメントと前記過渡セグメントの連結箇所に嵌合される、ことを特徴とする請求項７に記載のワイヤ部材。
【請求項９】
前記第一通線セグメントは１本の第一軸ワイヤをさらに有し、前記複数の第一通線ワイヤは前記第一セグメントにおいて前記第一軸ワイヤの周囲に螺旋状に撚り合せられること、を特徴とする請求項５に記載のワイヤ部材。
【請求項１０】
前記第一通線セグメントは１本の第一軸ワイヤをさらに有し、前記複数の前記第一通線ワイヤは前記第一セグメントにおいて前記第一軸ワイヤの周囲に螺旋状に撚り合せられ、前記第二通線ワイヤは１本の第二軸ワイヤをさらに有し、前記複数の第二通線ワイヤは前記第二セグメントにおいて前記第二軸ワイヤの周囲に螺旋状に撚り合せられ、前記第一、第二軸ワイヤのうち少なくとも１つは前記過渡セグメントに延伸し、かつ、前記過渡セグメントに延伸した前記第一、第二通線ワイヤは前記過渡セグメントに延伸した前記第一、第二軸ワイヤの周囲に螺旋状に撚り合わされること、を特徴とする請求項５に記載のワイヤ部材。
【発明の詳細な説明】
【技術分野】
【０００１】
本発明は、建築物の配管またはその他狭窄通路において用いられる通線器およびワイヤ部材に係る。
【背景技術】
【０００２】
通線器は、ケーブルやその他類似のものを、建築物の配管またはその他狭窄通路に入線することができる。長い狭窄管路を通す必要がある場合（たとえば３０メートル以上）、通線器は、管路による摩擦などの抵抗力に耐えうる十分な耐圧強度、伸張強度が求められるとともに、その自由端は高い屈曲性を保持することが通常好まれる。したがって、通線器の異なるセグメントには異なる物理性能を有することが必要である。たとえば、自由端に近いセグメントでは小さい外径によって高い屈曲性を保有させ、自由端から離れたセグメントでは大きい外径によってより高い強度の構造を保持させる。
【０００３】
台湾特許４８３２０８号では、図７から図９にネジ山のピッチを変えることによってその自由端の屈曲性を増加させること、または、延伸加工時に延伸量を増やすことによってその自由端の外径を細めることで、異なるセグメントに異なる物理性能を保持させる通線ワイヤを開示している。
【０００４】
しかしながら、樹脂製の通線ワイヤの場合、前述の加工方法は求められる押出し成形の技術レベルが高い。一部の通線セグメントの加工パラメータが他の通線セグメントの加工パラメータと異なるが、それぞれの加工パラメータを有する二つのセグメントは連続的に押出しされなけらばならい。このため、押出し成形作業の歩留まりが低く、コストも高い。
【発明の概要】
【発明が解決しようとする課題】
【０００５】
したがって、本発明の目的は、それぞれ異なる物理性能を有するセグメントを有し、加工が容易な通線器およびワイヤ部材の提供を実現することである。
【課題を解決するための手段】
【０００６】
前記およびその他の目的を達成するため、本発明は第一通線セグメントと、第一ケーブル固定器と、第二通線セグメントと、を有する通線器を提案する；第一通線セグメントは、複数の第一通線ワイヤを有し、第一通線セグメントは第一セグメントを具備し、当該複数の第一通線ワイヤは第一セグメントで互いに螺旋状に撚り合わさり、少なくとも一部の前記第一通線ワイヤは第一セグメントから過渡セグメントに延伸する；第一ケーブル固定器は、第一セグメントの過渡セグメントと反対の一端に設けられ；第二通線セグメントは、複数の第二通線ワイヤを有し、第二通線セグメントは第二セグメントを具備し、当該複数の第二通線ワイヤは第二セグメントで互いに螺旋状に撚り合わさり、少なくとも一部の前記第二通線ワイヤは第二セグメントから過渡セグメントに延伸し、かつ過渡セグメントに延伸した第一、第二通線ワイヤは互いに螺旋状に撚り合わさる。
【０００７】
なお、前記通線器は、第二セグメントの過渡セグメントと反対の一端に設けられる第二ケーブル固定器をさらに有する。
【０００８】
前記およびその他の目的を達成するため、本発明は、第一通線セグメントと、第二通線セグメントと、を有するワイヤ部材を提案する；第一通線セグメントは、複数の第一通線ワイヤを有し、第一通線セグメントは第一セグメントを具備し、当該複数の第一通線ワイヤは第一セグメントで互いに螺旋状に撚り合わさり、少なくとも一部の前記第一通線ワイヤは第一セグメントから過渡セグメントに延伸する；第二通線セグメントは、複数の第二通線ワイヤを有し、第二通線セグメントは第二セグメントを具備し、当該複数の第二通線ワイヤは第二セグメントで互いに螺旋状に撚り合わさり、少なくとも一部の前記第二通線ワイヤは第二セグメントから過渡セグメントに延伸し、かつ過渡セグメントに延伸した第一、第二通線ワイヤは互いに螺旋状に撚り合わさる。
【０００９】
なお、前記通線器およびワイヤ部材の第一通線ワイヤの本数は、第二通線ワイヤの本数と同様にnであって、第一通線セグメントのうちa本の第一通線ワイヤが前記第一セグメントから前記過渡セグメントに延伸し、前記第二通線セグメントのうちb本の第二通線ワイヤが前記第二セグメントから前記過渡セグメントに延伸し、a、b、nはすべて正整数であり、かつnはaとbの和である。
【００１０】
なお、前記通線器およびワイヤ部材は、固定手段をさらに有し、過渡セグメントの第一、第二通線ワイヤを固定することによって過渡セグメントの第一、第二通線ワイヤが相対的に螺旋転動させない。
【００１１】
なお、前記通線器およびワイヤ部材の固定手段は、第一固定リングおよび第二固定リングを有し、第一固定リングは第一セグメントと過渡セグメントの連結箇所に嵌合され、第二固定リングは第二セグメントと過渡セグメントの連結箇所に嵌合される。
【発明の効果】
【００１２】
前記設計によって、加工業者は求められる性能によって適した第一、第二通線セグメントを選択することができる。たとえば、プラスチック製の第一、第二通線セグメントにおいて、第一、第二通線セグメントをそれぞれ押出し成形してから、第一、第二通線セグメントを局部的に捻じ合わせることができる。このような構造設計は、求められる押出し成形の技術レベルが低く、高い歩留まりと低いコストが期待できる。
【図面の簡単な説明】
【００１３】
【図１】本発明にかかるワイヤ部材の第一実施例の分解側面図。
【００１４】
【図２】本発明にかかるワイヤ部材の第一実施例の側面図。
【００１５】
【図３】本発明にかかるワイヤ部材の第二実施例の分解側面図。
【００１６】
【図４】本発明にかかるワイヤ部材の第二実施例の側面図。
【００１７】
【図５】本発明にかかる通線器の好ましい実施例の側面図。
【００１８】
【図６】本発明にかかる通線器の好ましい実施例の局部拡大側面図、固定リングは断面で示す。
【００１９】
【図７】本発明にかかるワイヤ部材の好ましい実施例の局部拡大側面図、ワイヤ部材が彎曲された状態を示す。
【００２０】
【図８】本発明にかかるワイヤ部材の第三実施例の分解側面図。
【００２１】
【図９】本発明にかかるワイヤ部材の第三実施例の側面図。
【発明を実施するための形態】
【実施例】
【００２２】
図１、図２に本発明にかかるワイヤ部材の第一の実施例を示す。当該ワイヤ部材は、第一通線セグメント１０および第二通線セグメント２０を有する。
【００２３】
第一通線セグメント１０は、３本の第一通線ワイヤ１１を有し、かつ、第一セグメントAを有する。ここで、３本の第一通線ワイヤ１１は第一セグメントAのなかで互いに互いに螺旋状に撚り合い、そのうち１本の第一通線ワイヤ１１は第一セグメントAから過渡セグメントBに延伸し、他の２本の第一通線ワイヤ１１は過渡セグメントBに延伸しない。
【００２４】
第二通線セグメント２０は、３本の第二通線ワイヤ２１を有し、かつ、第二セグメントCを有する。ここで、３本の第二通線ワイヤ２１は第二セグメントCのなかで互いに撚り合い、そのうち２本の第二通線ワイヤ２１は第二セグメントCから過渡セグメントBに延伸し、他の１本の第二通線ワイヤ２１は過渡セグメントBに延伸しない。
【００２５】
このように、第一、第二通線セグメントは同じように３本の通線ワイヤからなり、両者から過渡セグメントに延伸する通線ワイヤの合計も同じく３本となる。また、過渡セグメントの第一、第二通線ワイヤは互いに螺旋状に撚り合わさっているため、通線ワイヤ間の摩擦力および軸方向に重なり合う構造が、当該ワイヤ部材が過渡セグメントでも良好な軸方向の耐圧強度、伸張強度を保てる。
【００２６】
第一、第二通線ワイヤは、樹脂材料からなってもよい。選択可能な樹脂材料は、ポリエステル樹脂、PP、PE等ポリオレフィン系樹脂、PA等ポリアミド系樹脂およびその共重合体などを含むが、これに限られない。通常、第一、第二通線ワイヤは高い耐圧強度と伸張強度を有し、径方向に屈曲性を有する。さらに、外力が消えた際にもとの位置、状態に回復する潜在エネルギーを有することが好ましい。また、各通線ワイヤもより細い複数の通線ワイヤが互いに撚り合わさってなる実施例も考えうる。
【００２７】
異なる工作の必要に応じて、第一、第二通線セグメントの材質、長さ、ネジ山のピッチ、太さ、通線ワイヤの本数、屈曲性などの設計が同一である必要はなく、たとえば第一の実施例において、第一通線セグメント１０の外径D１は第二通線セグメント２０の外径D２と異なる。
【００２８】
図３および図４に本発明にかかるワイヤ部材の第二の実施例を示す。前記ワイヤ部材は同様に第一通線セグメント１０および第二通線セグメント２０を具備するが、第一の実施例と異なり第二の実施例の第二通線セグメント２０は２本の第二通線ワイヤ２１のみ有し、そのうち１本の第二通線ワイヤ２１のみが過渡セグメントBへ延伸する。したがって、過渡セグメントBは、１本の第一通線ワイヤ１１および１本の第二通線ワイヤ２１が互いに螺旋状に撚り合わさってなる。このため、過渡セグメントBの性能は過渡セグメントBに延伸した通線ワイヤの本数を調整することによって第一の実施例と異なるように成すことができる。同じように、第一通線セグメント１０、第二通線セグメント２０の外径D１、D２および通線本数がそれぞれ異なるため、両者は屈曲性、硬度などの物理性能が異なる。
【００２９】
前述の実施例において、第一、第二通線セグメントからは一部の第一、第二通線ワイヤが過渡セグメントまで延伸し螺旋状に捻り合わさっている。なお、第一通線セグメントのすべての第一通線ワイヤが過渡セグメントに延伸して第二通線ワイヤと螺旋状に捻り合わさる実施例も考えうる。また、第二通線セグメントのすべての第二通線ワイヤが過渡セグメントに延伸して第一通線ワイヤと螺旋状に捻り合わさる実施例も考えうる。
【００３０】
図５に、本発明にかかる通線器の好ましい実施例を示す。当該通線器の中間部分は前述した第１の実施例と近いワイヤ部材、すなわち第一通線セグメント１０および第二通線セグメント２０を有し、かつ、当該ワイヤ部材は過渡セグメントの第一、第二通線ワイヤ１１、２１を固定する固定手段をさらに有することで、過渡セグメントの第一、第二通線ワイヤ１１、２１が相対的に螺旋転動することを防ぐ。本実施例において、固定手段は第一固定リング３１および第二固定リング３２を有し、第一固定リング３１は第一セグメントAおよび過渡セグメントBの連結箇所に嵌合され、第二固定リング３２は過渡セグメントCおよび第二セグメントBの連結箇所に嵌合される。図６に示すように、第一固定リング３１の内表面には嵌合力を増強するための溝模様が形成されており、第一固定リング３１の一部は第一セグメントAの第一通線ワイヤ１１に嵌合し、第一固定リング３１のさらに一部は過渡セグメントBの第一、第二通線ワイヤ１１、２１に嵌合する。第一固定リング３１の両端の異なる内径が第一セグメントAおよび過渡セグメントBの異なる外径に適合する。第二固定リング３２は内径が変化することが異なるのみで、内部構造は第一固定リング３１に似ている。
【００３１】
他の実施例において、固定手段は単一の固定リングを有してもよい。固定リングの設置位置は、過渡セグメントの両端に限られず、過渡セグメントの両端の間に設けられても良い。また他の実施例において、固定手段はパッキング部品であってもよい。たとえば、本体と、締付け爪/締付けリングおよび当該締付け爪/締付けリングをパッキングするためのパッキングヘッドと、を用いて、過渡セグメントの第一、第二通線ワイヤをパッキング方式によって固定する。その他の固定手段は、たとえば、過渡セグメントに接着剤を塗布する、粘着テープまたはその類似物を巻きつける、釘付ける、あるいは過渡セグメントの少なくとも一部の第一、第二通線ワイヤ上に互いに呼応する構造を形成することなどが考えうるが、これらに限られない。たとえば第一、第二通線ワイヤ上に凹凸を有する構造をそれぞれ形成し、凸構造と凹構造の延伸方向が第一、第二通線ワイヤが撚り合わさる螺旋方向と異なることが好ましい。
【００３２】
本実施例において、２つの固定リングを用いてそれぞれ過渡セグメントの両端を固定し、かつ各固定リングは第一、第二通線セグメントが互いに固定される嵌合力を提供する方法を採用したため、各固定リングの長さは短縮してもよい。このメリットは、固定リングによる屈曲性の低下を軽減できる。たとえば図７に示すように、ワイヤ部材が曲げられたとき、固定リングの両側の通線セグメントは屈曲性を比較的保持している；固定リング自体の長さが増加すると、固定リングに近接する通線セグメントの屈曲性は低下する。このように、過渡セグメント上により多くの固定リングを設置することができ、単一の固定リングの長さをさらに低下することで第一、第二通線ワイヤが彎曲に必要となる屈曲性を保つとともに、互いの定位置を固定できることが分かる。
【００３３】
通線器にケーブルを通線させる機能を持たせるために、通線器は第一ケーブル固定器４０および第二ケーブル固定器５０をさらに有してもよい。第一ケーブル固定器４０は第一セグメントAの過渡セグメントBと反対の一端に設けられ、第二ケーブル固定器５０は第二セグメントCの過渡セグメントBと反対の一端に設けられる。第一、第二ケーブル固定器４０、５０は同一または異なる形態であってもよい。本実施例においては、第一ケーブル固定器４０は、第一セグメントAの端部に嵌合する固定部４１と、当該固定部４１に形成され、ケーブルと連結することが可能なリング４２を具備する；第二ケーブル固定器５０は、第二セグメントCの端部に嵌合する固定部５１と、もう１つの固定部５２と、固定部５１および固定部５２の間に設けられるワイヤ部材５３（たとえばスチールケーブル）、および固定部５２に形成されるリング５４を具備する。第二ケーブル固定器５０は第一ケーブル固定器４０に比べてよりよい屈曲性を有する。その他の実施可能な形態として、通線器は１つのケーブル固定器のみ有することも考えうる。
【００３４】
ところで、本発明にかかるワイヤ部材は前述の通線器に用いられる以外に、たとえば狭窄管路のなかの異物を探測したり取り除くなどといった用途も考えられるが、用途はこれらの例に限らない。この場合、ケーブル固定器は必須ではなく省略してもよい。さらに、本発明にかかるワイヤ部材は２つ以上の通線セグメントを有してもよく、たとえば１つのワイヤ部材３つの通線セグメントを有し、少なくとも両隣の通線セグメントの間に上述の過渡セグメントが形成される実施形態も考えうる。
【００３５】
なお、図８および図９に、本発明にかかるワイヤ部材の第三の実施例において、第一通線セグメント１０が第一通線セグメント１０の軸芯で線形に延伸する１本の第一軸ワイヤ１２をさらに有し、第二通線セグメント２０が第二通線セグメント２０の軸芯で線形に延伸する１本の第二軸ワイヤ２２をさらに有し、第一通線ワイヤ１１は第一セグメントAで互いに螺旋状に撚り合わさるとともに、前記第一軸ワイヤ１２の周囲に螺旋状に撚り合わされる。すなわち、第一軸ワイヤ１２はこの３本の第一通線ワイヤ１１の幾何学的中心に位置する。同様に、第二通線ワイヤ２１は第二セグメントCで互いに螺旋状に撚り合わさるとともに、第二軸ワイヤ２２の周囲に螺旋状に撚り合わされる。さらに、第一、第二軸ワイヤ１２、２２の少なくとも一が過渡セグメントBに延伸することがより好ましい。たとえば本実施例において、第一、第二軸ワイヤ１２、２２はどちらも過渡セグメントBに延伸しており、過渡セグメントBの第一、第二通線ワイヤ１１、２１が過渡セグメントBの第一、第二軸ワイヤ１２、２２の周囲に螺旋状に縒り合わされている。その他の考えうる実施形態では、第一、第二軸ワイヤが過渡セグメントに延伸せず、過渡セグメントの第一、第二軸ワイヤのみが互いに螺旋状に縒り合わされていてもよい。その他の考えうる実施形態では、第一、第二軸ワイヤのうち１つのみが過渡セグメントに延伸してもよい。第一、第二軸ワイヤは、樹脂材料からなってもよく、樹脂材料は、ポリエステル樹脂、PP、PE等ポリオレフィン系樹脂、PA等ポリアミド系樹脂およびその共重合体などを選択可能であるが、これに限られない。また、第一、第二軸ワイヤは金属製のスチールワイヤ、スチールロープ、またはガラス繊維であってもよい。
【００３６】
前述の設計によって、加工業者は求められる性能によって適した第一、第二通線セグメントを選択し、たとえば樹脂材料からなる第一、第二通線ワイヤであれば、第一、第二通線セグメントを個別に押出成形してから第一、第二通線セグメントの一部を撚り合せることができる。このような設計は、求められる押出成形の技術レベルが低く、より高い歩留まり率と低いコストが期待できる。さらに、ユーザにとって異なる状況で異なるワイヤ部材を選択可能であり、第一、第二通線セグメントが異なる物理性能を有するため、操作上の利便性が増し、ワイヤ部材の断裂、構造上の損傷または管路の損傷の可能性を軽減することが期待できる。
【符号の説明】
【００３７】
第一通線セグメント１０、第一通線ワイヤ１１、第一軸ワイヤ１２、第二通線セグメント２０、第二通線ワイヤ２１、第二軸ワイヤ２２、第一固定リング３１、第二固定リング３２、第一ケーブル固定器４０、固定部４１、リング４２、第二ケーブル固定器５０、固定部５１、固定部５２、ワイヤ部材５３、リング５４、第一セグメントA、過渡セグメントB、第二セグメントC、外径D１、D２
【図１】
2017118804.tif 000003
【図２】
2017118804.tif 000004
【図３】
2017118804.tif 000005
【図４】
2017118804.tif 000006
【図５】
2017118804.tif 000007
【図６】
2017118804.tif 000008
【図７】
2017118804.tif 000009
【図８】
2017118804.tif 000010
【図９】
2017118804.tif 000011
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
樹脂材料からなる第一通線ワイヤを複数有するとともに、第一セグメントを具備し、前記複数の第一通線ワイヤは前記第一セグメントにおいて互いに螺旋状に撚り合わさり、少なくとも一部の前記第一通線ワイヤが前記第一セグメントから過渡セグメントに延伸する第一通線セグメントと、
前記第一セグメントの前記過渡セグメントと反対の一端に設けられる第一ケーブル固定器と、
樹脂材料からなる第二通線ワイヤを複数有するとともに、第二セグメントを具備し、前記複数の第二通線ワイヤは前記第二セグメントにおいて互いに螺旋状に撚り合わさり、少なくとも一部の前記第二通線ワイヤが前記第二セグメントから過渡セグメントに延伸し、かつ、前記過渡セグメントに延伸した第一、第二通線ワイヤは互いに螺旋状に撚り合わさる第二通線セグメントと、
前記過渡セグメントの前記第一、第二通線ワイヤを固定することによって、前記過渡セグメントの前記第一、第二通線ワイヤが相対的に螺旋転動させない固定手段と、を有することを特徴とする通線器。
【請求項２】
前記第一通線ワイヤの本数と前記第二通線ワイヤの本数がともにnであって、前記第一通線セグメントのうちa本の前記第一通線ワイヤが前記第一セグメントから前記過渡セグメントに延伸し、前記第二通線セグメントのうちb本の前記第二通線ワイヤが前記第二セグメントから前記過渡セグメントに延伸し、a、b、nはすべて正整数であり、かつnはaとbの和であること、特徴とする請求項１に記載の通線器。
【請求項３】
前記固定手段は、第一固定リングおよび第二固定リングを有し、前記第一固定リングは前記第一セグメントと前記過渡セグメントの連結箇所に嵌合され、前記第二固定リングは前記第二セグメントと前記過渡セグメントの連結箇所に嵌合される、ことを特徴とする請求項１に記載の通線器。
【請求項４】
樹脂材料からなる第一通線ワイヤを複数有するとともに、第一セグメントを具備し、前記複数の第一通線ワイヤは前記第一セグメントにおいて互いに螺旋状に撚り合わさり、少なくとも一部の前記第一通線ワイヤが前記第一セグメントから過渡セグメントに延伸する第一通線セグメントと、
樹脂材料からなる第二通線ワイヤを複数有するとともに、第二セグメントを具備し、前記複数の第二通線ワイヤは前記第二セグメントにおいて互いに螺旋状に撚り合わさり、少なくとも一部の前記第二通線ワイヤが前記第二セグメントから過渡セグメントに延伸し、かつ、前記過渡セグメントに延伸した第一、第二通線ワイヤは互いに螺旋状に撚り合わさる第二通線セグメントと、
前記過渡セグメントの前記第一、第二通線ワイヤを固定することによって、前記過渡セグメントの前記第一、第二通線ワイヤが相対的に螺旋転動させない固定手段と、を有することを特徴とするワイヤ部材。
【請求項５】
前記第一通線ワイヤの本数と前記第二通線ワイヤの本数がともにnであって、第一通線セグメントのうちa本の前記第一通線ワイヤが前記第一セグメントから前記過渡セグメントに延伸し、前記第二通線セグメントのうちb本の前記第二通線ワイヤが前記第二セグメントから前記過渡セグメントに延伸し、a、b、nはすべて正整数であり、かつnはaとbの和であること、を特徴とする請求項４に記載のワイヤ部材。
【請求項６】
前記固定手段は、第一固定リングおよび第二固定リングを有し、前記第一固定リングは前記第一セグメントと前記過渡セグメントの連結箇所に嵌合され、前記第二固定リングは前記第二セグメントと前記過渡セグメントの連結箇所に嵌合される、ことを特徴とする請求項４に記載のワイヤ部材。
【請求項７】
前記第一通線セグメントは１本の第一軸ワイヤをさらに有し、前記複数の第一通線ワイヤは前記第一セグメントにおいて前記第一軸ワイヤの周囲に螺旋状に撚り合せられること、を特徴とする請求項４に記載のワイヤ部材。
【請求項８】
前記第一通線セグメントは１本の第一軸ワイヤをさらに有し、前記複数の前記第一通線ワイヤは前記第一セグメントにおいて前記第一軸ワイヤの周囲に螺旋状に撚り合せられ、前記第二通線ワイヤは１本の第二軸ワイヤをさらに有し、前記複数の第二通線ワイヤは前記第二セグメントにおいて前記第二軸ワイヤの周囲に螺旋状に撚り合せられ、前記第一、第二軸ワイヤのうち少なくとも１つは前記過渡セグメントに延伸し、かつ、前記過渡セグメントに延伸した前記第一、第二通線ワイヤは前記過渡セグメントに延伸した前記第一、第二軸ワイヤの周囲に螺旋状に撚り合わされること、を特徴とする請求項４に記載のワイヤ部材。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
樹脂材料からなる第一通線ワイヤを複数有するとともに、第一セグメントを具備し、前記複数の第一通線ワイヤは前記第一セグメントにおいて互いに螺旋状に撚り合わさり、少なくとも一部の前記第一通線ワイヤが前記第一セグメントから過渡セグメントに延伸する第一通線セグメントと、
前記第一セグメントの前記過渡セグメントと反対の一端に設けられる第一ケーブル固定器と、
樹脂材料からなる第二通線ワイヤを複数有するとともに、第二セグメントを具備し、前記複数の第二通線ワイヤは前記第二セグメントにおいて互いに螺旋状に撚り合わさり、少なくとも一部の前記第二通線ワイヤが前記第二セグメントから過渡セグメントに延伸し、かつ、前記過渡セグメントに延伸した第一、第二通線ワイヤは互いに螺旋状に撚り合わさる第二通線セグメントと、
前記過渡セグメントの前記第一、第二通線ワイヤを固定することによって、前記過渡セグメントの前記第一、第二通線ワイヤが相対的に螺旋転動させない固定手段と、を有し、前記固定手段は、第一固定リングおよび第二固定リングを有し、前記第一固定リングは前記第一セグメントと前記過渡セグメントの連結箇所に嵌合され、前記第二固定リングは前記第二セグメントと前記過渡セグメントの連結箇所に嵌合される、
ことを特徴とする通線器。
【請求項２】
前記第一通線ワイヤの本数と前記第二通線ワイヤの本数がともにnであって、前記第一通線セグメントのうちa本の前記第一通線ワイヤが前記第一セグメントから前記過渡セグメントに延伸し、前記第二通線セグメントのうちb本の前記第二通線ワイヤが前記第二セグメントから前記過渡セグメントに延伸し、a、b、nはすべて正整数であり、かつnはaとbの和であること、特徴とする請求項１に記載の通線器。
【請求項３】
樹脂材料からなる第一通線ワイヤを複数有するとともに、第一セグメントを具備し、前記複数の第一通線ワイヤは前記第一セグメントにおいて互いに螺旋状に撚り合わさり、少なくとも一部の前記第一通線ワイヤが前記第一セグメントから過渡セグメントに延伸する第一通線セグメントと、
樹脂材料からなる第二通線ワイヤを複数有するとともに、第二セグメントを具備し、前記複数の第二通線ワイヤは前記第二セグメントにおいて互いに螺旋状に撚り合わさり、少なくとも一部の前記第二通線ワイヤが前記第二セグメントから過渡セグメントに延伸し、かつ、前記過渡セグメントに延伸した第一、第二通線ワイヤは互いに螺旋状に撚り合わさる第二通線セグメントと、
前記過渡セグメントの前記第一、第二通線ワイヤを固定することによって、前記過渡セグメントの前記第一、第二通線ワイヤが相対的に螺旋転動させない固定手段と、を有し、前記固定手段は、第一固定リングおよび第二固定リングを有し、前記第一固定リングは前記第一セグメントと前記過渡セグメントの連結箇所に嵌合され、前記第二固定リングは前記第二セグメントと前記過渡セグメントの連結箇所に嵌合される、
ことを特徴とするワイヤ部材。
【請求項４】
前記第一通線ワイヤの本数と前記第二通線ワイヤの本数がともにnであって、第一通線セグメントのうちa本の前記第一通線ワイヤが前記第一セグメントから前記過渡セグメントに延伸し、前記第二通線セグメントのうちb本の前記第二通線ワイヤが前記第二セグメントから前記過渡セグメントに延伸し、a、b、nはすべて正整数であり、かつnはaとbの和であること、を特徴とする請求項３に記載のワイヤ部材。
【請求項５】
前記第一通線セグメントは１本の第一軸ワイヤをさらに有し、前記複数の第一通線ワイヤは前記第一セグメントにおいて前記第一軸ワイヤの周囲に螺旋状に撚り合せられること、を特徴とする請求項３に記載のワイヤ部材。
【請求項６】
前記第一通線セグメントは１本の第一軸ワイヤをさらに有し、前記複数の前記第一通線ワイヤは前記第一セグメントにおいて前記第一軸ワイヤの周囲に螺旋状に撚り合せられ、前記第二通線ワイヤは１本の第二軸ワイヤをさらに有し、前記複数の第二通線ワイヤは前記第二セグメントにおいて前記第二軸ワイヤの周囲に螺旋状に撚り合せられ、前記第一、第二軸ワイヤのうち少なくとも１つは前記過渡セグメントに延伸し、かつ、前記過渡セグメントに延伸した前記第一、第二通線ワイヤは前記過渡セグメントに延伸した前記第一、第二軸ワイヤの周囲に螺旋状に撚り合わされること、を特徴とする請求項３に記載のワイヤ部材。